(57)【要約】【課題】  収納する個数に合わせて凸型収納部を凹凸面状に設定し、各凹凸部に円筒形電池を嵌合的に配置・収納する方式で、並列的に収納・配置する複数個の円筒形電池の個々を、その外周面に沿わせた壁面で係合的に支持・固定化して、遊動等を防止するものであり、種類の違う複数の商品を安定的に確実にパッケージできないという問題があった。【解決手段】  上面周囲につば部３を形成し、下部を階段状に２段絞りの凹状からなる浅い絞り部４と深い絞り部５を形成し、浅い絞り部４に裏蓋体２と係合するための嵌合部を形成し、嵌合部には裏蓋体２の嵌合突起部１０と係合する係合部６を形成した本体と、下面周囲につば部９を形成し、つば部９の内側に本体の浅い絞り部４の深さに略相当する高さの堤状部７を形成し、堤状部７の外側周囲の隅部に複数ヶ所の嵌合突起部１０を形成し、この突起部１０を本体係合部６に嵌合させて組み立てる複数物品収納ブリスターパック。【選択図】図４
2007276855.tif 000002
【特許請求の範囲】
【請求項１】
２種の物品を収納できるようにしたブリスターパックであって、合成樹脂製板材から成形し、上面周囲につば部を形成し、その下部を階段状に２段絞りの凹状からなる浅い絞り部と深い絞り部を形成し、浅い絞り部に裏蓋体と係合するための嵌合部を形成し、該嵌合部には裏蓋体の嵌合突起部と係合する係合部を形成した本体と、合成樹脂製板材から成形し、下面周囲につば部を形成し、該つば部の内側に本体の浅い絞り部の深さに略相当する高さの堤状部を形成し、該堤状部の外側周囲の隅部に複数ヶ所の嵌合突起部を形成し、この突起部を本体係合部に嵌合させて組み立てることを特徴とする複数物品収納ブリスターパック。
【請求項２】
本体と裏蓋体の間に仕切板を介在させることを特徴とする請求項１記載の複数物品収納ブリスターパック。
【請求項３】
本体あるいは裏蓋体のつば部の一部に開封用つまみ部を形成したことを特徴とする請求項１、または請求項２に記載の複数物品収納ブリスターパック。
【請求項４】
裏蓋体の堤状部の外側周囲が挿入できる孔を形成した、上部に吊り下げ用孔を有する台紙と、該台紙に商品を収納した裏蓋体を係合し、裏蓋体のつば部で台紙に係止し、商品を収納した本体を裏蓋体の堤状部で嵌合係合したことを特徴とする請求項１〜３のいずれか１項に記載の複数物品収納ブリスターパック。
【発明の詳細な説明】
【技術分野】
【０００１】
本発明は、複数物品収納ブリスターパックに係り、さらに詳しくは、商品と取り扱い説明書、化粧品とパフ、同一商品において、大きさの違う２物品を同一のブリスターパックに収納する商品パッケージ用の複数物品収納ブリスターパックに関するものである。
【背景技術】
【０００２】
従来技術としては、少なくとも一端面に一方の電極端子が突設された円筒形電池を複数個並列に収納する寸法・形状の凸型収納部を備えた透明性のブリスターパック本体と、前記ブリスターパック本体の裏面側に重ね合わされ、凸型収納部開口を封塞する支持体板とを有するブリスターパックであって、前記凸型収納部の円筒形電池端面が対接する側壁に、隣接する円筒形電池の外周面に対接する突起部、及び突設した電極端子が嵌合する凹型部を設けてあるブリスターパック（例えば、特許文献１参照）が存在している。
【特許文献１】特開２００３−１４２０５６号公報（特許請求の範囲の欄、発明の詳細な説明の欄の｛発明の実施の態様｝における段落｛００２２｝〜｛００２５｝、及び図１を参照）
【発明の開示】
【発明が解決しようとする課題】
【０００３】
しかしながら、前記従来技術は、円筒形電池を複数個収納するブリスターパックで、収納する個数に合わせて凸型収納部を凹凸面状に設定し、各凹凸部に円筒形電池を嵌合的に配置・収納する方式で、並列的に収納・配置する複数個の円筒形電池の個々を、その外周面に沿わせた壁面で係合的に支持・固定化して、遊動等を防止するものであり、大きさ、種類の違う複数の商品を安定的に確実にパッケージすることはできないという問題があった。
【課題を解決するための手段】
【０００４】
上記課題を解決するための本発明の第１発明は、請求項１に記載された通りの複数物品収納ブリスターパックであり、次のようなものである。
２種の物品を収納できるようにしたブリスターパックであって、合成樹脂製板材から成形し、上面周囲につば部を形成し、その下部を階段状に２段絞りの凹状からなる浅い絞り部と深い絞り部を形成し、浅い絞り部に裏蓋体と係合するための嵌合部を形成し、該嵌合部には裏蓋体の嵌合突起部と係合する係合部を形成した本体と、合成樹脂製板材から成形し、下面周囲につば部を形成し、該つば部の内側に本体の浅い絞り部の深さに略相当する高さの堤状部を形成し、該堤状部の外側周囲の隅部に複数ヶ所の嵌合突起部を形成し、この突起部を本体係合部に嵌合させて組み立てる構成である。
【０００５】
上記課題を解決するための本発明の第２発明は、請求項２に記載された通りの複数物品収納ブリスターパックであり、次のようなものである。
請求項１記載の発明の加えて、本体と裏蓋体の間に仕切板を介在させる構成である。
【０００６】
上記課題を解決するための本発明の第３発明は、請求項３に記載された通りの複数物品収納ブリスターパックであり、次のようなものである。
請求項１、または請求項２に記載の発明に加えて、本体あるいは裏蓋体のつば部の一部に開封用つまみ部を形成する構成である。
【０００７】
上記課題を解決するための本発明の第４発明は、請求項４に記載された通りの複数物品収納ブリスターパックであり、次のようなものである。
請求項１〜請求項３のいずれか１項に記載の発明に加えて、裏蓋体の堤状部の外側周囲が挿入できる孔を形成した、上部に吊り下げ用孔を有する台紙と、該台紙に商品を収納した裏蓋体を係合し、裏蓋体のつば部で台紙に係止し、商品を収納した本体を裏蓋体の堤状部で嵌合係合する構成である。
【発明の効果】
【０００８】
本発明に係る複数物品収納ブリスターパックは、上記説明のような構成であるので、以下に記載する効果を奏する。
（１）複数種の物品を収納でき、配置・収納が容易で、遊動・位置ズレの発生が防止・抑制でき、低コスト化、コンパクト化、生産性の向上が図れ、複数種の商品を安定した状態で、パッケージ化が可能であり、実用上、使い勝手の良いものである。
【発明を実施するための最良の形態】
【０００９】
２種の物品を収納できるようにしたブリスターパックであって、合成樹脂製板材から成形し、上面周囲につば部を形成し、その下部を階段状に２段絞りの凹状からなる浅い絞り部と深い絞り部を形成し、浅い絞り部に裏蓋体と係合するための嵌合部を形成し、該嵌合部には裏蓋体の嵌合突起部と係合する係合部を形成した本体と、合成樹脂製板材から成形し、下面周囲につば部を形成し、該つば部の内側に本体の浅い絞り部の深さに略相当する高さの堤状部を形成し、該堤状部の外側周囲の隅部に複数ヶ所の嵌合突起部を形成し、この突起部を本体係合部に嵌合させて組み立てる複数物品収納ブリスターパックである。
【実施例】
【００１０】
図１は、本発明の第一実施例である複数物品収納ブリスターパックの本体を示すもので、（Ａ）は平面図、（Ｂ）は正面図、（Ｃ）は右側面図、（Ｄ）は一部詳細正面図、図２は、裏蓋体を示すもので、（Ａ）は平面図、（Ｂ）は正面図、（Ｃ）は右側面図、（Ｄ）は一部詳細正面図、図３は、本発明の第二実施例である本体と裏蓋体を一体的に形成し、本体と裏蓋体をミシン目等で切り離せるようにした実施例を示すもので、（Ａ）は平面図、（Ｂ）は正面図、（Ｃ）は右側面図、（Ｄ）は左側面図、（Ｅ）は本体側の一部詳細正面図、（Ｆ）は裏蓋体側の一部詳細正面図、図４は、吊り下げ孔を有する台紙に取り付けた第一実施例の組み立て状態を示す斜視図である。
【００１１】
本発明について図１、図２、図４に基づいて具体的に第一実施例を説明する。
複数物品収納ブリスターパックの本体１及び裏蓋体２は、合成樹脂板等を採用して真空成型等で成形して得るものである。
その具体的な構造は、以下の通りである。
先ず、本体１について図１で説明すると、図１（Ａ）〜（Ｄ）からも理解できるように、２種の商品を収納できるようにしたもので、合成樹脂板、例えばポリエチレンテレフタレート樹脂を素材として真空成型等で成形するもので、上面周囲につば部３を形成し、その下部を階段状に２段絞りの浅い絞り部４と深い絞り部５を凹状形に形成する。そして、同時に裏蓋体２と係止できるように凹みの係合部６を浅い絞り部４の隅部等に形成する、成形し易いように絞り部の角部はＲを形成したり、つば部３の角部は面取りをする等、取り扱い時に怪我等をしないように配慮することはいうまでもない。
【００１２】
次に、裏蓋体２について図２で説明すると、図２（Ａ）〜（Ｄ）からも理解できるように、略凹形状を有し、具体的には本体１の浅い絞り部４に係合できる浅い絞り部４の深さに相当するような高さの堤状部７を形成することで、堤状部７で囲まれるように収納部８を形成し、堤状部７の底部につば部９を形成したものである。
また、堤状部７の外周角部に本体１に形成した係合部６と係合係止できるように突起部１０を形成したものである。
【００１３】
次に、本発明の第二実施例について説明する。
図３（Ａ）〜（Ｅ）からも理解できるように、第一実施例においては、本体１と裏蓋体２を各個別に成形する実施例について説明したが、この第二実施例では、本体１と裏蓋体２を一体成形し、本体１と裏蓋体２間に必要時に切り離せるようにミシン目等を形成して連結状態で成形するものであり、具体的な各形状等は同一なので詳細な説明は書略する。
【００１４】
次に、本発明の使用状態について図４に基づいて説明する。
吊り下げ用孔１１を形成した台紙１２に裏蓋体２のつば部９で接着、ホッチキス止め等して固定し、裏蓋体２の収納部８に第一物品、例えば取り扱い説明書を入れ、本体１の深い絞り部５に第二物品、例えばオーディオ機器を入れ、その収納する物品によって第一物品と第二物品の間に仕切りシートを介在させる等して、本体１の浅い絞り部４と裏蓋体２の堤状部７を嵌め合わせて係合し、必要に応じて台紙１１に接着、ホッチキス止め等で固着するものである。
【００１５】
なお、台紙１２に対する固定の手段は、前記説明の固定手段に替えて、台紙１１に裏蓋体２の堤状部７が挿入できる堤状部７と略同一形状の孔を形成し、この孔に裏蓋体２を裏面側から嵌合挿入し、孔から突出した堤状部７と、本体１の浅い絞り部４を嵌合させて、前記実施例と同様に２つの物品を収納できるようにしたものである。
また、図面で示した浅い絞り部４、深い絞り部５、収納部７の形状は矩形であるが、収納物の形状に合わせて、円形、三角形、楕円形等、種々の形状を採用することができる。
また、本体１の係合部６と裏蓋体２の突起部１０で本体１と裏蓋体２は嵌合係止できるから、特に両者を接着やホッチキス止めする必要はないが、盗難やいたずらを防止するために、台紙１２に固着することは適宜選択することになる。
さらに、設計変更の範囲としては、２種類の物品だけではなく、３種類以上の物品を収納できるように、絞り部を複数段にして、それに対応することは必然的に考えられるものである。
【産業上の利用可能性】
【００１６】
本願発明を利用して、２種以上の商品をそれぞれの商品の形状に合わせた収納部を形成することにより、色々な商品を収納することができる。
【図面の簡単な説明】
【００１７】
【図１】本発明の一実施例である複数物品収納ブリスターパックの本体を示すもので（Ａ）は平面図、（Ｂ）は正面図、（Ｃ）は右側面図、（Ｄ）は一部詳細正面図である。
【図２】本発明の一実施例である複数物品収納ブリスターパックの裏蓋体を示すもので（Ａ）は平面図、（Ｂ）は正面図、（Ｃ）は右側面図、（Ｄ）は一部詳細正面図である。
【図３】本発明の第二実施例である複数物品収納ブリスターパック示すもので（Ａ）は平面図、（Ｂ）は正面図、（Ｃ）は右側面図、（Ｄ）は左側面図、（Ｅ）は本体側の一部詳細正面図、（Ｆ）は裏蓋体側の一部詳細正面図である。
【図４】本発明の具体的な第一実施例である吊り下げ孔を有する台紙に取り付けた状態を示す斜視図である。
【符号の説明】
【００１８】
１・・・・本体                            ２・・・・裏蓋体
３・・・・つば部                          ４・・・・浅い絞り部
５・・・・深い絞り部                      ６・・・・係合部
７・・・・堤状部                          ８・・・・収納部
９・・・・つば部                        １０・・・・突起部
１１・・・・吊り下げ用孔                  １２・・・・台紙
【図１】
2007276855.tif 000003
【図２】
2007276855.tif 000004
【図３】
2007276855.tif 000005
【図４】
2007276855.tif 000006